(57)【要約】【課題】装置の大型化を抑制することが可能であるとともに、装置構成の複雑化を抑制することが可能な噴水装置を提供する。【解決手段】この噴水装置１００は、水中ポンプ１と、水中ポンプ１の吐出口１３ｂに一方端が接続された水供給管２と、回転軸５１と、水供給管２を介して供給された水を噴射する水噴射ノズル５０とを含む回転機構５と、水供給管２の他方端に設けられ、回転軸５１を介して回転機構５を回転可能に支持する支持機構４と、を備え、水噴射ノズル５０は、回転軸５１の周方向の推進力成分を有するような噴射方向に水を噴射する第１噴射ノズル５３を含む。【選択図】図１
2019195770.tif 000002
【特許請求の範囲】
【請求項１】
水中ポンプと、
前記水中ポンプの吐出口に一方端が接続された水供給管と、
回転軸と、前記水供給管を介して供給された水を噴射する水噴射ノズルとを含む回転機構と、
前記水供給管の他方端に設けられ、前記回転軸を介して前記回転機構を回転可能に支持する支持機構と、を備え、
前記水噴射ノズルは、前記回転軸の周方向の推進力成分を有するような噴射方向に水を噴射する第１噴射ノズルを含む、噴水装置。
【請求項２】
前記第１噴射ノズルは、複数設けられ、
複数の前記第１噴射ノズルは、前記回転軸の周方向において略等角度間隔で配置されている、請求項１に記載の噴水装置。
【請求項３】
前記水噴射ノズルは、前記回転軸の周方向の推進力成分を有さない噴射方向に水を噴射する第２噴射ノズルをさらに含む、請求項１または２に記載の噴水装置。
【請求項４】
前記水供給管を囲むように配置されたフロートをさらに備える、請求項１〜３のいずれか１項に記載の噴水装置。
【請求項５】
前記水中ポンプは、前記回転軸の回転中心軸線上に配置されている、請求項４に記載の噴水装置。
【請求項６】
前記第１噴射ノズルは、平面視で前記回転軸の周方向に延びる円の法線に対して１８０度未満の角度により傾いている、請求項１〜５のいずれか１項に記載の噴水装置。
【請求項７】
前記水供給管と前記回転機構との間には、隙間が設けられ、
前記隙間から水が噴射されるように構成されている、請求項１〜６のいずれか１項に記載の噴水装置。
【請求項８】
前記回転機構は、前記水噴射ノズルが先端に設けられる管部と、前記管部が接続されて前記回転軸とともに回転する回転部材とをさらに含み、
前記水供給管は、上方に開口部を有する環状の側壁部を含み、
前記側壁部は、前記回転部材により前記開口部が略覆われるように前記回転部材の下方に配置され、上端が前記回転部材と環状の前記隙間を隔てて配置されている、請求項７に記載の噴水装置。
【請求項９】
前記第１噴射ノズルは、上向き成分を有するような噴射方向に水を噴射するように構成されている、請求項１〜８のいずれか１項に記載の噴水装置。
【請求項１０】
前記側壁部には、前記回転部材の周囲を取り囲むとともに、前記隙間を通過した水を斜め上方に導水して噴射する漏斗状の導水噴射部が設けられている、請求項８に記載の噴水装置。
【請求項１１】
前記回転部材には、前記漏斗状の導水噴射部の内側面に対向する傾斜面が設けられており、
前記漏斗状の導水噴射部の内側面と前記傾斜面との間には、前記隙間を通過した水を導水する導水路が形成されている、請求項１０に記載の噴水装置。
【発明の詳細な説明】
【技術分野】
【０００１】
本発明は、噴水装置に関し、特に、回転される水噴射ノズルを備える噴水装置に関するものである。
【背景技術】
【０００２】
従来、回転される水噴射ノズルを備える噴水装置が知られている（たとえば、特許文献１参照）。
【０００３】
上記特許文献１には、水中ポンプと、噴水ノズルと、モータと、噴水ノズルが取り付けられ、水中ポンプからの水を噴水ノズルに供給する管状の回転軸と、を備える噴水装置が開示されている。モータは、回転軸を回転駆動させる駆動装置として機能する。モータは、複数の歯車を介して回転軸を回転させるように構成されている。回転軸は、モータにより回転されることによって、噴水ノズルを回転させるように構成されている。
【先行技術文献】
【特許文献】
【０００４】
【特許文献１】特開平５−６８９２１号公報
【発明の概要】
【発明が解決しようとする課題】
【０００５】
しかしながら、上記特許文献１に記載の噴水装置では、噴水ノズルを回転させるために、駆動装置としてのモータおよび複数の歯車を備えなければならず、部品点数が増加するという不都合がある。このため、噴水装置が大型化するとともに、装置構成が複雑化するという問題点がある。
【０００６】
この発明は、上記のような課題を解決するためになされたものであり、この発明の１つの目的は、装置の大型化を抑制することが可能であるとともに、装置構成の複雑化を抑制することが可能な噴水装置を提供することである。
【課題を解決するための手段】
【０００７】
上記目的を達成するために、この発明の一の局面における噴水装置は、水中ポンプと、水中ポンプの吐出口に一方端が接続された水供給管と、回転軸と、水供給管を介して供給された水を噴射する水噴射ノズルとを含む回転機構と、水供給管の他方端に設けられ、回転軸を介して回転機構を回転可能に支持する支持機構と、を備え、水噴射ノズルは、回転軸の周方向の推進力成分を有するような噴射方向に水を噴射する第１噴射ノズルを含む。
【０００８】
この発明の一の局面による噴水装置では、上記のように、第１噴射ノズルにより、回転軸の周方向の推進力成分を有するような噴射方向に水を噴射することによって、回転機構に回転力を付与することができる。すなわち、回転機構に水を供給する水中ポンプに加えて、回転機構を回転させるための専用の駆動機構を噴水装置に設けることなく、回転機構を回転させながら水を噴射することができる。したがって、従来のように回転機構を回転させる駆動装置としてのモータおよび複数の歯車を設ける必要がないので、部品点数の増加を抑制することができる。その結果、装置の大型化を抑制することができるとともに、装置構成の複雑化を抑制することができる。
【０００９】
上記一の局面による噴水装置において、好ましくは、第１噴射ノズルは、複数設けられ、複数の第１噴射ノズルは、回転軸の周方向において略等角度間隔で配置されている。このように構成すれば、複数の第１噴射ノズルにより、回転機構に対してバランスよく回転力を付与することができるので、回転機構を安定して回転させることができる。
【００１０】
上記一の局面による噴水装置において、好ましくは、水噴射ノズルは、回転軸の周方向の推進力成分を有さない噴射方向に水を噴射する第２噴射ノズルをさらに含む。このように構成すれば、第２噴射ノズルによって、第１噴射ノズルとは異なる噴射方向に水を噴射することができるので、第１噴射ノズルのみから水を噴射する場合とは異なり、より多様な方向に水を噴射することができる。すなわち、噴射された水の形状を、単調な形状からより複雑な形状にすることができる。その結果、噴水装置を観賞用として用いる場合には、観賞用として好ましい水の形状を得ることができる。また、回転軸の周方向の推進力成分を有する水を噴射する第１噴射ノズルとは別個に、第２噴射ノズルを設けることにより、回転機構に作用する回転力が強くなりすぎるのを抑制しながら多様な方向に水を噴射することができる。
【００１１】
上記一の局面による噴水装置において、好ましくは、水供給管を囲むように配置されたフロートをさらに備える。このように構成すれば、水が貯留される場所の底面などに噴水装置を固定的に設置する場合とは異なり、フロートにより、水面に対する所定の高さ位置に噴水装置を容易に設置することができる。また、水が貯留される種々の場所に噴水装置を容易に設置することができる。
【００１２】
この場合、好ましくは、水中ポンプは、回転軸の回転中心軸線上に配置されている。このように構成すれば、比較的大きな重量の水中ポンプの重心位置をフロートの直下に配置することができるので、フロートにより水中ポンプを安定して支持することができる。その結果、フロートにより浮遊する噴水装置が傾くのを抑制することができる。
【００１３】
上記一の局面による噴水装置において、好ましくは、第１噴射ノズルは、平面視で回転軸の周方向に延びる円の法線に対して１８０度未満の角度により傾いている。このように構成すれば、水中ポンプのポンプ回転軸１１ａ（羽根車）の回転によって生じる反力によって、回転軸と反対方向にモータが回転してしまったとしても、モータの回転により生じる力を打ち消す方向に対して、回転機構を回転させて推進力を与えることができるので、モータの回転により生じる力によって水中ポンプ（噴水装置）が動いてしまうことを防ぐとともに、第１噴射ノズルから噴射される水の飛形を、よりねじれ感が強いユニークな形状（特異な形状）にすることが可能となる。
【００１４】
上記一の局面による噴水装置において、好ましくは、水供給管と回転機構との間には、隙間が設けられ、隙間から水が噴射されるように構成されている。このように構成すれば、水供給管と回転機構との間に一般的に設けられるシール部材を設ける必要がないので、装置構成の複雑化をより抑制することができるとともに、シール部材等を設ける場合と比べ機械的な摺動が無いので安定した回転を維持することができる。また、第１噴射ノズルとは異なる噴射方向に水を噴射することができるので、第１噴射ノズルのみから水を噴射する場合とは異なり、より多様な方向に水を噴射することができる。その結果、噴水装置を観賞用として用いる場合には、観賞用として好ましい水の形状を得ることができる。
【００１５】
この場合、好ましくは、回転機構は、水噴射ノズルが先端に設けられる管部と、管部が接続されて回転軸とともに回転する回転部材とをさらに含み、水供給管は、上方に開口部を有する環状の側壁部を含み、側壁部は、回転部材により開口部が略覆われるように回転部材の下方に配置され、上端が回転部材と環状の隙間を隔てて配置されている。このように構成すれば、環状の隙間から噴射される水を、回転軸の周方向に環状かつ略均等に噴射することができる。
【００１６】
上記一の局面による噴水装置において、好ましくは、第１噴射ノズルは、上向き成分を有するような噴射方向に水を噴射するように構成されている。このように構成すれば、水供給管と回転機構との間から噴射する水が第１噴射ノズルに干渉することを防止することができる。また、第１噴射ノズルから上方側に水を噴射することができるので、噴射された水をより視認されやすくすることができるとともに、より広い範囲に到達させることが可能となる。
【００１７】
上記水供給管と回転機構との間に水が噴射される隙間が設けられた構成において、好ましくは、側壁部には、回転部材の周囲を取り囲むとともに、隙間を通過した水を斜め上方に導水して噴射する漏斗状の導水噴射部が設けられている。このように構成すれば、漏斗状の導水噴射部により、導水噴射部を通過する水の流れ方向を整えることができるので、噴射される水の噴射方向を整えることができる。
【００１８】
この場合、好ましくは、回転部材には、漏斗状の導水噴射部の内側面に対向する傾斜面が設けられており、漏斗状の導水噴射部の内側面と傾斜面との間には、隙間を通過した水を導水する導水路が形成されている。このように構成すれば、導水路により、導水路を通過する水の流れ方向をより整えることができるので、噴射される水の噴射方向をより整えることができる。その結果、観賞用として好ましい特異な水の形状を得ることができる。すなわち、導水路を経て噴射される水の形状を、概して、皿状（皿の縁形状）のようにすることができる。
【発明の効果】
【００１９】
本発明によれば、上記のように、装置の大型化を抑制することができるとともに、装置構成の複雑化を抑制することができる。
【図面の簡単な説明】
【００２０】
【図１】本発明の一実施形態による噴水装置を示した概略図である。
【図２】本発明の一実施形態による噴水装置を示した平面図である。
【図３】図２の５００−５００線に沿った断面図である。
【発明を実施するための形態】
【００２１】
以下、本発明の実施形態を図面に基づいて説明する。
【００２２】
（噴水装置の構成）
図１〜図３を参照して、本発明の一実施形態について説明する。図１に示す本実施形態による噴水装置１００は池などの貯水域Ｈに浮遊した状態で設置される。噴水装置１００は、貯水域Ｈの水質改善や鑑賞などを目的として使用される。
【００２３】
噴水装置１００は、水中ポンプ１と、水供給管２と、フロート３と、支持機構４と、回転機構５と、を備えている。
【００２４】
噴水装置１００は、水中ポンプ１により吸い込んだ貯水域Ｈの水を、水供給管２を介して回転機構５に送り、回転機構５から噴射するように構成されている。回転機構５は、支持機構４により回転可能に支持されており、回転しながら水を噴射するように構成されている。
【００２５】
ここで、噴水装置１００は、図２に示すように、後述する水噴射ノズル５０（第１噴射ノズル５３）から、回転軸５１の周方向（接線方向）の推進力成分を有するような噴射方向に水を噴射することにより、回転機構５を回転させながら水を噴射するように構成されている。詳細については後述する。
【００２６】
〈水中ポンプの構成〉
図１に示すように、水中ポンプ１は、ポンプ回転軸１１ａがＺ方向に延びる縦型の水中電動ポンプである。水中ポンプ１は、貯水域Ｈの水に全体が浸かった状態で、かつ、貯水域Ｈの底面から浮遊（離間）した状態で設置されている。水中ポンプ１は、ポンプ回転軸１１ａと、固定子・回転子１１０を含むモータ１１と、羽根車１２とを備えている。羽根車１２が配置されるポンプ室１２ａは、水中ポンプ１の下端に配置されている。水中ポンプ１には、羽根車１２（ポンプ室１２ａ）の下方側（Ｚ２方向側）に吸込口１３ａが設けられている。また、水中ポンプ１には、羽根車１２（ポンプ室１２ａ）の側方側に吐出口１３ｂが設けられている。
【００２７】
水中ポンプ１は、回転機構５の後述する回転軸５１の回転中心軸線α上に配置されている。水中ポンプ１のポンプ回転軸１１ａは、回転軸５１の回転中心軸線αと略平行な方向に延びている。
【００２８】
〈水供給管の構成〉
図１に示すように、水供給管２は、水中ポンプ１の吐出口１３ｂから吐出された水を回転機構５に送る経路として機能する管部材である。水供給管２は、一方端２ａが水中ポンプ１の吐出口１３ｂに接続され、他方端２ｂに支持機構４が設けられている。
【００２９】
詳細には、水供給管２は、第１管部２１と、第１管部２１の下流側に配置される第２管部２２と、側壁部２３とを含んでいる。第１管部２１は、吐出口１３ｂに接続された下端（一方端２ａ）から水中ポンプ１の外形に沿って上方（Ｚ１方向）に延びるとともに、水中ポンプ１の上方側で、水中ポンプ１の直上側に向けて内側に湾曲したＬ字形状を有している。第２管部２２は、水中ポンプ１の直上に配置され、Ｚ方向に延びる直線形状を有している。第２管部２２の中心軸線は、回転軸５１の回転中心軸線α上に配置されている。
【００３０】
第２管部２２の下端近傍には、係留部２４が設けられている。係留部２４は、係留用のロープ２４ａがくくりつけられている。これにより、水中ポンプ１を備える噴水装置１００が流されるのを抑制することができる。
【００３１】
第２管部２２の上端近傍には、上方に向けて管部分の水平方向の幅が大きくなる段差部２２ａが設けられている。第２管部２２の段差部２２ａの下方側部分は、フロート３の後述する貫通穴３ａよりも水平方向の大きさが小さくなるように形成され、第２管部２２の段差部２２ａの上方側部分は、フロート３の後述する貫通穴３ａよりも水平方向の大きさが大きくなるように形成されている。段差部２２ａは、第２管部２２が挿通されたフロート３に上方から当接して、フロート３の第２管部２２に対する上方への移動を規制するように構成されている。これにより、段差部２２ａは、フロート３（水面）に対する水供給管２の高さ位置を位置決めしている。
【００３２】
側壁部２３は、第２管部２２の上方端に設けられている。側壁部２３は、上方に開口部２３０を有する円環状（円筒状）に形成されている。側壁部２３は、回転機構５の後述する回転部材５２により開口部２３０が略覆われるように回転部材５２の下方に配置されている。側壁部２３は、上端（他方端２ｂ）が回転部材５２と円環状の隙間Ｓを隔てて配置されている。
【００３３】
〈フロートの構成〉
図１に示すように、フロート３は、水中ポンプ１を浮遊させて支持するために設けられている。フロート３は、概して、球形状を有している。また、フロート３は、水平方向の中央付近にＺ方向に貫通する貫通穴３ａを有しており、貫通穴３ａには第２管部２２（水供給管２）が挿通されている。すなわち、フロート３は、第２管部２２（水供給管２）を囲むように配置されている。フロート３は、上記の通り、第２管部２２の段差部２２ａに下方から当接している。フロート３は、発泡材料または中空部材により形成されている。
【００３４】
フロート３は、回転機構５の下方（直下）に設けられている。すなわち、フロート３は、水を噴射する回転機構５を水面上に配置している。
【００３５】
〈支持機構の構成〉
図３に示すように、支持機構４は、水供給管２の他方端２ｂに設けられている。支持機構４は、回転機構５の回転軸５１を介して回転機構５を回転可能に支持している。支持機構４は、水供給管２の円筒状の側壁部２３の内側に配置されている。
【００３６】
支持機構４は、保持部（リブ部）４１と、支持機構本体４２とを含んでいる。
【００３７】
保持部４１は、環状の側壁部２３の内側の中心に支持機構本体４２を配置した状態で、支持機構本体４２を保持している。保持部４１は、回転軸５１の周方向に複数並ぶように設けられている。複数の保持部４１は、それぞれ、回転機構５の回転軸５１の半径方向に放射状に延びている。保持部４１の外側の端部は、水供給管２の側壁部２３に接続されている。保持部４１の内側の端部は、支持機構本体４２に接続され、支持機構本体４２を保持している。保持部４１は、側壁部２３の内側の水の流れを阻害しにくいように、回転機構５の回転軸５１の周方向の厚みが薄肉状となるように形成されている。
【００３８】
支持機構本体４２は、回転機構５の回転軸５１を回転可能に支持している。詳細には、支持機構本体４２は、回転軸５１を支持するＺ方向に離間して配置される一対の固定側軸受４２ａと、一対の固定側軸受４２ａの間に配置される筒状のスペーサ４２ｂとを有している。
【００３９】
〈回転機構の構成〉
図３に示すように、回転機構５は、回転軸５１と、回転部材５２と、第１噴射ノズル５３と第２噴射ノズル５４とを含む水噴射ノズル５０と、第１噴射ノズル５３が先端に１つずつ設けられる複数の管部５５ａと、第２噴射ノズル５４が先端に１つずつ設けられる複数の管部５５ｂとを含んでいる。複数の管部５５ａおよび複数の管部５５ｂは、回転部材５２に上方側から固定的に接続されている（取り付けられている）。
【００４０】
回転軸５１には、一対の固定側軸受４２ａを上下から挟み込むように一対の回転側軸受５１ａが設けられている。回転側軸受５１ａは、回転軸５１とともに回転し、固定側軸受４２ａの水平面と接触しながら回転軸５１中心の上下方向に生じる（スラスト）荷重を支えながら摺動するとともに、固定側軸受４２ａおよび回転側軸受５１ａの摺動面は水によって潤滑されるように構成されている。
【００４１】
回転軸５１は、概して、Ｚ方向に延びる円柱形状に形成されている。回転軸５１の回転中心軸線αは、Ｚ方向に延びる水供給管２の第２管部２２の中心位置と略一致している。また、回転軸５１の回転中心軸線αは、概して、水平方向において、第１管部２１の上下方向に延びる管部分の中心軸線βと、水中ポンプ１のポンプ回転軸１１ａの回転中心軸線γとの間に配置されている。
【００４２】
回転部材５２は、平面視で（Ｚ方向から見て）円形状となる円板形状に形成されている。回転部材５２は、貫通穴５２ａおよび複数（４個）の貫通穴５２ｂを有している。
【００４３】
貫通穴５２ａは、回転部材５２をＺ方向に貫通している。貫通穴５２ａは、回転部材５２の中心位置に配置されている。回転部材５２は、貫通穴５２ａに回転軸５１が挿通されて固定されており、回転軸５１とともに回転するように回転軸５１に取り付けられている。また、回転部材５２は、管部５５ａおよび５５ｂが接続されて回転軸５１とともに回転するように構成されている。
【００４４】
複数（４個）の貫通穴５２ｂは、それぞれ、回転部材５２をＺ方向に貫通している。複数の貫通穴５２ｂは、回転軸５１の周方向において略等角度間隔（９０度）で配置されている。
【００４５】
複数（４個）の貫通穴５２ｂの一部（２個）には、管部５５ａが固定的に取り付けられている。また、複数（４個）の貫通穴５２ｂの他の一部（２個）には、管部５５ｂが固定的に取り付けられている。管部５５ａおよび管部５５ｂの上流側の端部（回転部材５２側の端部）は、水供給管２から水を受け取り可能なように、水供給管２の内部空間に接続されている。管部５５ａおよび管部５５ｂは、共に、平面視で回転軸５１の半径方向に延びている（図２参照）。また、管部５５ａおよび管部５５ｂは、共に、側面視で斜め上方に延びている。たとえば、管部５５ａおよび管部５５ｂは、共に、側面視で、水平に対する角度Ｐが４５度となる斜め上方に延びている。
【００４６】
上記の通り、管部５５ａは、複数（２個）設けられており、第１噴射ノズル５３は、複数（２個）設けられている。管部５５ａ（複数の管部５５ａの先端にそれぞれ設けられた複数の第１噴射ノズル５３）は、回転軸５１の周方向において略等角度間隔（１８０度）で配置されている。
【００４７】
上記の通り、管部５５ｂは、複数（２個）設けられており、第２噴射ノズル５４は、複数（２個）設けられている。複数の管部５５ｂ（複数の管部５５ｂの先端にそれぞれ設けられた複数の第２噴射ノズル５４）は、回転軸５１の周方向において略等角度間隔（１８０度）で配置されている。また、複数の管部５５ｂは、回転軸５１の周方向において管部５５ａの略中間の角度位置に設けられている。
【００４８】
第１噴射ノズル５３は、水供給管２を介して水中ポンプ１から供給された水を噴射するように構成されている。第１噴射ノズル５３は、回転軸５１の周方向（接線方向）の推進力成分を有するような噴射方向に水を噴射するように構成されている。図２では、回転軸５１の周方向に沿うとともに、回転中心軸線αを中心として、回転中心軸線αから第１噴射ノズル５３および第２噴射ノズル５４の根本までの距離（回転中心軸線αと、管部５５ａの第１噴射ノズル５３が設けられるエルボの曲り部分との間の距離）を半径とする円形状の線を破線Ｌ１により示している。管部５５ａは、平面視で破線Ｌ１の法線Ｌ２が延びる方向に沿って延びている。なお、回転軸５１の周方向（接線方向）の推進力成分は、平面視で円形状の破線Ｌ１の接線Ｌ３の延びる方向に向く成分である。
【００４９】
ここで、仮に第１噴射ノズル５３が平面視で法線Ｌ２に沿って水を噴射した場合、噴射された水は、回転軸５１の周方向（接線方向）の推進力成分を有さないため、回転機構５は、回転することはない。そこで、第１噴射ノズル５３は、平面視で法線Ｌ２に対して鋭角Ａ１だけ傾斜した方向に水を噴射するように構成されている。なお、第１噴射ノズル５３は、円形状の破線Ｌ１の内側に向けて水を噴射する。
【００５０】
また、図２に示すように平面視におけるポンプ回転軸１１ａ（羽根車１２）の回転方向は時計回りとなるが、これにより生じる反力によってモータ１１が反時計回りに回転してしまうため、水中ポンプ１が貯水域Ｈ内で動いてしまう可能性がある。このため、第１噴射ノズル５３を平面視で法線Ｌ２に対して鋭角Ａ１傾斜した方向に水を噴射するように構成することで、モータ１１が反時計回りに回転する力を打ち消すことができ、運転時において水中ポンプ１が貯水域Ｈ内で動いてしまうことを防ぐことが可能となる。
【００５１】
図３に示すように、第１噴射ノズル５３は、上向き成分を有するような噴射方向に水を噴射するように構成されている。すなわち、第１噴射ノズル５３は、水を下側ではなく、上側に噴射するように構成されている。同様に、第２噴射ノズル５４は、上向き成分を有するような噴射方向に水を噴射するように構成されている。
【００５２】
図２に示すように、第２噴射ノズル５４は、水供給管２を介して水中ポンプ１から供給された水を噴射するように構成されている。管部５５ｂは、平面視で破線Ｌ１の法線Ｌ４が延びる方向に沿って延びている。第２噴射ノズル５４は、回転軸５１の周方向（接線方向）の推進力成分を有さないような噴射方向に水を噴射するように構成されている。すなわち、第２噴射ノズル５４は、平面視で法線Ｌ４に沿った外向き方向（回転軸５１の半径方向の外側）に水を噴射するように構成されている。このように第２噴射ノズル５４の平面的放出角度を法線Ｌ４にすることで、第１噴射ノズル５３の噴射により生じる回転軸５１の周方向（接線方向）の推進力成分に相殺されることなく、第２噴射ノズル５４から噴射される水の到達距離や高さを最大にすることができる。
【００５３】
図３に示すように、水供給管２（側壁部２３の上端）と回転機構５（回転部材５２）との間には、上記の通り、隙間Ｓが設けられている。噴水装置１００は、隙間Ｓから水が噴射されるように構成されている。
【００５４】
側壁部２３には、外周側には導水噴射部２３ａが設けられている。導水噴射部２３ａは、回転部材５２の周囲を取り囲むとともに、隙間Ｓを通過した水を斜め上方に導水して噴射するように構成されている。導水噴射部２３ａは、上方に向けて広がる漏斗状に形成されている。すなわち、噴水装置１００は、第１噴射ノズル５３および第２噴射ノズル５４に加えて、導水噴射部２３ａを介して隙間Ｓからも水を噴射するように構成されている。
【００５５】
回転部材５２には、導水噴射部２３ａの内側面２３ｂに対向する傾斜面５２ｃが設けられている。漏斗状の導水噴射部２３ａの内側面２３ｂと傾斜面５２ｃとの間には、隙間Ｓを通過した水を導水する導水路Ｄが形成されている。なお、導水路Ｄが延びる方向（上流側から下流側に向けた方向）において、導水路Ｄは、幅（内側面２３ｂと傾斜面５２ｃとの間隔）が略一定となるように形成されている。噴水装置１００は、漏斗状の導水噴射部２３ａおよび導水路Ｄにより、円環状の隙間Ｓを通過した水を、円環状かつ皿形状（皿の縁形状）で噴射するように構成されている。
【００５６】
（本実施形態の効果）
本実施形態では、以下のような効果を得ることができる。
【００５７】
本実施形態では、上記のように、第１噴射ノズル５３により、回転軸５１の周方向の推進力成分を有するような噴射方向に水を噴射することによって、回転機構５に回転力を付与することができる。すなわち、回転機構５に水を供給する水中ポンプ１に加えて、回転機構５を回転させるための専用の駆動機構を噴水装置１００に設けることなく、回転機構５を回転させながら水を噴射することができる。したがって、従来のように回転機構５を回転させる駆動装置としてのモータおよび複数の歯車を設ける必要がないので、部品点数の増加を抑制することができる。その結果、装置の大型化を抑制することができるとともに、装置構成の複雑化を抑制することができる。
【００５８】
また、本実施形態では、上記のように、第１噴射ノズル５３は、複数設けられ、複数の第１噴射ノズル５３は、回転軸５１の周方向において略等角度間隔で配置されている。これにより、複数の第１噴射ノズル５３により、回転機構５に対してバランスよく回転力を付与することができるので、回転機構５を安定して回転させることができる。
【００５９】
また、本実施形態では、上記のように、回転軸５１の周方向の推進力成分を有さない噴射方向に水を噴射する第２噴射ノズル５４をさらに設ける。これにより、第２噴射ノズル５４によって第１噴射ノズル５３とは異なる噴射方向に水を噴射することができるので、第１噴射ノズル５３のみから水を噴射する場合とは異なり、より多様な方向に水を噴射することができる。すなわち、噴射された水の形状を、単調な形状からより複雑な形状にすることができる。その結果、噴水装置１００を観賞用として用いる場合には、観賞用としてより好ましい水の形状を得ることができる。また、回転軸５１の周方向の推進力成分を有する水を噴射する第１噴射ノズル５３とは別個に、第２噴射ノズル５４を設けることにより、回転機構５に作用する回転力が強くなりすぎるのを抑制しながら多様な方向に水を噴射することができる。
【００６０】
また、本実施形態では、上記のように、水供給管２を囲むように配置されたフロート３をさらに備える。これにより、水が貯留される場所の底面などに噴水装置１００を固定的に設置する場合とは異なり、フロート３により、水面に対する所定の高さ位置に噴水装置１００を容易に設置することができる。また、水が貯留される種々の場所に噴水装置１００を容易に設置することができる。
【００６１】
また、本実施形態では、上記のように、水中ポンプ１は、回転軸５１の回転中心軸線α上に配置されている。これにより、比較的大きな重量の水中ポンプ１の重心位置をフロート３の直下に配置することができるので、フロート３により水中ポンプ１を安定して支持することができる。その結果、フロート３により浮遊する噴水装置１００が傾くのを抑制することができる。
【００６２】
また、本実施形態では、上記のように、第１噴射ノズル５３は、平面視で回転軸５１の周方向に延びる円の法線に対して１８０度未満の角度により傾いている。このように構成すれば、ポンプ回転軸１１ａ（羽根車１２）の回転によって生じる反力によって、回転軸５１と反対方向にモータ１１が回転してしまったとしても、モータ１１の回転により生じる力を打ち消す方向に対して、回転機構５を回転させて推進力を与えることができるので、モータ１１の回転により生じる力によって水中ポンプ１（噴水装置１００）が動いてしまうことを防ぐとともに、第１噴射ノズル５３から噴射される水の飛形を、よりねじれ感が強いユニークな形状（特異な形状）にすることが可能となる。
【００６３】
また、本実施形態では、上記のように、水供給管２と回転機構５との間には、隙間Ｓが設けられ、隙間Ｓから水が噴射されるように構成されている。これにより、水供給管２と回転機構５との間に一般的に設けられるシール部材を設ける必要がないので、装置構成の複雑化をより抑制することができるとともに、シール部材等を設ける場合と比べ機械的な摺動が無いので安定した回転を維持することができる。また、第１噴射ノズル５３とは異なる噴射方向に水を噴射することができるので、第１噴射ノズル５３のみから水を噴射する場合とは異なり、より多様な方向に水を噴射することができる。その結果、噴水装置１００を観賞用として用いる場合には、観賞用としてより好ましい水の形状を得ることができる。
【００６４】
また、本実施形態では、上記のように、回転機構５は、水噴射ノズル５０が先端に設けられる管部５５ａおよび５５ｂと、管部５５ａおよび５５ｂが接続されて回転軸５１とともに回転する回転部材５２とをさらに含み、水供給管２は、上方に開口部２３０を有する環状の側壁部２３を含み、側壁部２３は、回転部材５２により開口部２３０が略覆われるように回転部材５２の下方に配置され、上端が回転部材５２と環状の隙間Ｓを隔てて配置されている。これにより、環状の隙間Ｓから噴射される水を、回転軸５１の周方向に環状かつ略均等に噴射することができる。
【００６５】
また、本実施形態では、上記のように、第１噴射ノズル５３は、上向き成分を有するような噴射方向に水を噴射するように構成されている。これにより、水供給管２と回転機構５との間から噴射する水が第１噴射ノズル５３に干渉することを防止することができる。また、第１噴射ノズル５３から上方側に水を噴射することができるので、噴射された水をより視認されやすくすることができるとともに、より広い範囲に到達させることが可能となる。
【００６６】
また、本実施形態では、上記のように、側壁部２３には、回転部材５２の周囲を取り囲むとともに、隙間Ｓを通過した水を斜め上方に導水して噴射する漏斗状の導水噴射部２３ａが設けられている。これにより、漏斗状の導水噴射部２３ａにより、導水噴射部２３ａを通過する水の流れ方向を整えることができるので、噴射される水の噴射方向を整えることができる。
【００６７】
また、本実施形態では、上記のように、回転部材５２には、漏斗状の導水噴射部２３ａの内側面２３ｂに対向する傾斜面５２ｃが設けられており、漏斗状の導水噴射部２３ａの内側面２３ｂと傾斜面５２ｃとの間には、隙間Ｓを通過した水を導水する導水路Ｄが形成されている。これにより、導水路Ｄにより、導水路Ｄを通過する水の流れ方向をより整えることができるので、噴射される水の噴射方向をより整えることができる。その結果、導水路Ｄを経て噴射される水の形状を、概して、皿状（皿の縁形状）のようにすることができる。
【００６８】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６９】
たとえば、上記一実施形態では、噴水装置にフロートを設けた例を示したが、本発明では、これに限られない。本発明では、噴水装置にフロートを設けずに、噴水装置を貯水域の底面などに固定的に設置してもよい。
【００７０】
また、上記一実施形態では、噴水装置を、第１噴射ノズルおよび第２噴射ノズルの両方を含むように構成した例を示したが、本発明では、これに限られない。本発明では、噴水装置を、第１噴射ノズルのみを含み、第２噴射ノズルを含まないように構成してもよい。
【００７１】
また、上記一実施形態では、第２噴射ノズルから回転軸の半径方向の外側に水を噴射した例を示したが、本発明では、これに限られない。本発明では、たとえば、第２噴射ノズルから回転軸の半径方向の内側に水を噴射してもよい。
【００７２】
また、上記一実施形態に示した第１噴射ノズルの水の噴射方向に限らず、本発明の第１噴射ノズルは、回転軸の周方向の推進力成分を有するような噴射方向であれば、いかなる方向に水を噴射するように構成されていてもよい。
【００７３】
また、上記一実施形態では、第１噴射ノズルを２つ設けた例を示したが、本発明では、これに限られない。本発明では、第１噴射ノズルを１つまたは３つ以上設けてもよい。
【００７４】
また、上記一実施形態では、第２噴射ノズルを２つ設けた例を示したが、本発明では、これに限られない。本発明では、第２噴射ノズルを１つまたは３つ以上設けてもよい。
【００７５】
また、上記一実施形態では、噴水装置に、第１噴射ノズルと第２噴射ノズルとを同数ずつ設けた例を示したが、本発明では、これに限られない。本発明では、たとえば、噴水装置に、第１噴射ノズルを４つ設け、第２噴射ノズルを２つ設けるなど、第１噴射ノズルと第２噴射ノズルとを互いに異なる数だけ設けてもよい。
【００７６】
また、水中ポンプを、回転機構の回転軸の回転中心軸線上に配置した例を示したが、本発明では、これに限られない。本発明では、水中ポンプを、回転軸の回転中心軸線上から外れた位置に配置してもよい。
【符号の説明】
【００７７】
２  水供給管
３  フロート
４  支持機構
５  回転機構
１３ｂ  吐出口
２３  側壁部
２３ａ  導水噴射部
２３ｂ  内側面
５０  水噴射ノズル
５１  回転軸
５２  回転部材
５２ｃ  傾斜面
５３  第１噴射ノズル
５４  第２噴射ノズル
５５ａ、５５ｂ  管部
１００  噴水装置
２３０  開口部
Ｄ  導水路
Ｓ  隙間
α  回転中心軸線
【図１】
2019195770.tif 000003
【図２】
2019195770.tif 000004
【図３】
2019195770.tif 000005